(57)【要約】【課題】髪をスムーズに梳かしながら、ブローも同時に行うので、より速乾性に優れた効果を発揮するヘアドライヤーのアタッチメントを提供すること。【解決手段】本発明のヘアードライヤーのアタッチメントは、髪をブラシ部で梳かした後に、髪をソフトに捕らえ、スムーズに梳かすことを可能とする。より具体的には、筒状ホルダーからなるブラシ本体に、軟質材料から形成される係止ブリスルも追加し、更にブラシケースのサイドに凹所を設け、この凹所に髪をスムーズに導き、凹所に設けた貫通孔から風を吹き出す構造とする。【選択図】図４
2010201067.tif 000002
【特許請求の範囲】
【請求項１】
温風を吐出する送風口を有した筒状のドライヤー本体と、前記ドライヤー本体と一体もしくは連結自在に設けられブラシ部と前記送風口と連通して温風を吐出する複数個の吹出孔を設けた筒状のホルダーからなるブラシ本体とを備え、
前記ブラシ部は、ホルダーの長手方向の一部の領域に設け、前記ブラシ部の最も外側に近い前記ホルダーの長手方向の側壁に連続して複数個の凹所を形成したことを特徴とするヘアードライヤーのアタッチメント。
【請求項２】
前記凹所は、前記ブラシ部を挟んで前記ホルダーの長手方向の左右両側壁に形成したことを特徴とする請求項１に記載のヘアードライヤーのアタッチメント。
【請求項３】
前記凹所は、前記ホルダーの外壁面から凹設して形成したことを特徴とする請求項１または２に記載のヘアードライヤーのアタッチメント。
【請求項４】
前記凹所は、その底壁を曲面またはそれに近い円滑壁面としたことを特徴とする請求項１から３のいずれか１項に記載のヘアードライヤーのアタッチメント。
【請求項５】
前記凹所は、その底壁に前記ホルダーの内外を連通する貫通孔を形成したことを特徴とする請求項１から４のいずれか１項に記載のヘアードライヤーのアタッチメント。
【請求項６】
前記ホルダーは、断面形状が対角を有する多角形を呈し、前記凹所は、そのうちの対峙する一つの対角に位置するホルダーの長手方向の左右両側壁に形成したことを特徴とする請求項１から５のいずれか１項に記載のヘアードライヤーのアタッチメント。
【請求項７】
前記ブラシ部は、ホルダーの長手方向に沿い複数条の列を成してブリスルを起立成形し、且つホルダーの長手方向と直交する方向に複数の空隙を形成するとともに、前記複数個の凹所を前記空隙と一致させて形成したことを特徴とする請求項１から６のいずれか１項に記載のヘアードライヤーのアタッチメント。
【請求項８】
前記ブラシ部の最も外側に位置するブリスルに近接して、該ブリスルの突出長よりも低寸の係止ブリスルを設けたことを特徴とする請求項１から７のいずれか１項に記載のヘアードライヤーのアタッチメント。
【請求項９】
前記係止ブリスルは、前記ブリスルに比べて軟質材料で形成したことを特徴とする請求項１から８のいずれか１項に記載のヘアードライヤーのアタッチメント。
【請求項１０】
前記ブリスルの先端は引掛けピンを一体成形し、前記係止ブリスルはストレートの形状としたことを特徴とする請求項１から９のいずれか１項に記載のヘアードライヤーのアタッチメント。
【発明の詳細な説明】
【技術分野】
【０００１】
この発明は、ヘアードライヤーのアタッチメントに係り、詳しくは、このアタッチメントに設けた凹所で、髪を滑らかに梳かすことを可能とするブラシ本体に関する。
【背景技術】
【０００２】
従来より人の頭髪を乾燥させるため温風を送風したり、髪形を整えるための機器として、ヘアードライヤーが広く使用されている。特に、濡れた髪を素早く乾かし、且つ使用者の好みのスタイルに髪（癖毛）に整える所謂カールドライヤーと呼ばれるヘアドライヤーがある。下記の特許文献１においては、このような用途を目的とするカールドライヤーが挙げられている。このカールドライヤーのアタッチメントによれば、髪をカールする場合に引っ掛け部と呼ばれる部分で髪の先端部分を離れにくくすることが記載されている。より具体的には、このカールドライヤーのアタッチメントは、熱風を送出するカールドライヤー本体に取付けられ、この熱風を吹出して髪に当てさせる吹出し口を有する筒状体と、この筒状体の周方向の一部領域に設けられ、髪を梳る毛体と、この領域の周方向端縁部に沿って設けられ、髪を引き上げるとき、髪を当てて抜き出しにくくする引っ掛け部を毛体の高さより低い位置に有する抜け止め部材から構成されている。
【先行技術文献】
【特許文献】
【０００３】
【特許文献１】特許第３６２７１６６号公報
【発明の概要】
【発明が解決しようとする課題】
【０００４】
しかしながら、このようなカールドライヤーのアタッチメントでは髪を巻つけてから、その巻きついた髪を抜き出す際に、特に絡みついた髪を梳く場合に、抜け止め部材の間に入った髪を引き上げると、引っ掛け部に当たった髪が抜け出しにくいことが原因で髪の毛を傷めかねない。
【０００５】
このような点からも、髪をブローする際には、髪への速乾性を増し、且つ髪を傷めずにスムーズに梳くことが出来るヘアードライヤーのアタッチメントが要求されている。
【０００６】
そこで、この要求に応えるため、本発明は、髪をブラシ部で梳かす際に、髪をソフトにキャッチし、かつスムーズに流すように梳かすことを目的とする。
【０００７】
また、本発明の他の目的は、髪をスムーズに梳かしながら、ブローも同時に行うので、より速乾性に優れた効果を発揮するヘアードライヤーのアタッチメントを提供することにある。
【課題を解決するための手段】
【０００８】
上記目的を達成するために、本発明のヘアードライヤーのアタッチメントは、温風を吐出する送風口を有した筒状のドライヤー本体と、前記ドライヤー本体と一体もしくは連結自在に設けられブラシ部と前記送風口と連通して温風を吐出する複数個の吹出孔を設けた筒状のホルダーからなるブラシ本体とを備え、前記ブラシ部は、ホルダーの長手方向の一部の領域に設け、前記ブラシ部の最も外側に近い前記ホルダーの長手方向の側壁に連続して複数個の凹所を形成したことを特徴とする。
【０００９】
この構成によると、本発明のヘアードライヤーのアタッチメントは、髪先を捉えて、より自然なスタイリングで髪を整えることが容易である。その結果、髪形の見た目も良い軽やかな仕上りを実現することができる。
【００１０】
また本発明は、上記構成のヘアードライヤーのアタッチメントにおいて、前記凹所は、前記ブラシ部を挟んで前記ホルダーの長手方向の左右両側壁に形成したことを特徴とする。
【００１１】
この構成によると、ブラシ部を挟んだ前記ホルダーの長手方向の左右両側壁によって、髪の広い範囲を均等に滑らかに梳かすことを可能とする。
【００１２】
また本発明は、上記構成のヘアードライヤーのアタッチメントにおいて、前記凹所は、前記ホルダーの外壁面から凹設して形成したことを特徴とする。
【００１３】
この構成によると、ブラシ部のどの角度から髪を当てたとしても、凹所にスムーズに髪を導くことができる。
【００１４】
また本発明は、上記構成のヘアードライヤーのアタッチメントにおいて、前記凹所は、その底壁を曲面またはそれに近い円滑壁面としたことを特徴とする。
【００１５】
この構成によると、凹所に導かれた髪を傷めずに、髪を滑らかに梳かすことができる。
【００１６】
また本発明は、上記構成のヘアードライヤーのアタッチメントにおいて、前記凹所は、その底壁に前記ホルダーの内外を連通する貫通孔を形成したことを特徴とする。
【００１７】
この構成によると、凹所に設けられた貫通孔を吹き貫ける風によって、髪をよりスムーズに導き、濡れた髪でも素早く乾かすことを可能とする。
【００１８】
また本発明は、上記構成のヘアードライヤーのアタッチメントにおいて、前記ホルダーは、断面形状が対角を有する多角形を呈し、前記凹所は、そのうちの対峙する一つの対角に位置するホルダーの長手方向の左右両側壁に形成したことを特徴とする。
【００１９】
この構成によると、ヘアードライヤーをどの角度に当てたとしても、髪をスムーズ且つ自然な位置で凹所に当てることができる。
【００２０】
また本発明は、上記構成のヘアードライヤーのアタッチメントにおいて、前記ブラシ部は、ホルダーの長手方向に沿い複数条の列を成してブリスルを起立成形し、且つホルダーの長手方向と直交する方向に複数の空隙を形成するとともに、前記複数個の凹所を前記空隙と一致させて形成したことを特徴とする。
【００２１】
この構成によると、ブリスルが複数の列を形成して起立し、ホルダーの長手方向と直交する方向に風数の空隙を形成し、凹所を前記空隙と一致させて形成しているので、空隙から吹出される風が凹所へと流れ込むので、髪を傷めず滑らかな仕上がりで乾かすことができる。
【００２２】
また本発明は、上記構成のヘアードライヤーのアタッチメントにおいて、前記ブラシ部の最も外側に位置するブリスルに近接して、該ブリスルの突出長よりも低寸の係止ブリスルを設けたことを特徴とする。
【００２３】
この構成によると、係止ブリスルは、最も外側に位置するブリスルと比べて、短い寸法なので、ブリスルで梳かされた髪が、より自然な位置で捕らえるこができる。
【００２４】
また本発明は、上記構成のヘアードライヤーのアタッチメントにおいて、前記係止ブリスルは、前記ブリスルに比べて軟質材料で形成したことを特徴とする。
【００２５】
この構成によると、軟質材料の部分により、髪を傷めることなく、適度な張りを保持したまま髪を捕らえることができる。
【００２６】
また本発明は、上記構成のヘアードライヤーのアタッチメントにおいて、前記ブリスルの先端は引掛けピンを一体成形し、前記係止ブリスルはストレートの形状としたことを特徴とする。
【００２７】
この構成によると、ブリスル間で梳かされた髪を引掛けピンで取り逃がさずに捕まえることが可能なので、髪のブラシ効果を継続して保つことができる。
【発明の効果】
【００２８】
本発明は上記の構成を備えることにより、以下に示すような優れた効果を奏する。すなわち、本発明のヘアードライヤーのアタッチメントは、ブラシ本体の先端に引掛けピンを有したブリスルと係止ブリスルと凹所とを備えるので、ブラシ部のブリスルで髪を梳かして、係止ブリスルで髪に適度な張りを保ちながら、凹所に髪を滑らかに導くことを可能とする。さらに、凹所に導かれた髪は貫通孔から吹き出される風によって乾かされるので、従来のヘアドライヤーのアタッチメントと比べて、より速乾性を増し、髪先までダメージを与えることなく、髪の手入れ（ヘアケア）効果も格段に向上する。
【図面の簡単な説明】
【００２９】
【図１】図１は本発明の実施形態に係るヘアードライヤーのアタッチメントの正面図である。
【図２】図２は図１のヘアードライヤーのアタッチメントの側面図である。
【図３】図３は図２のＡ−Ａ線で切断したヘアードライヤーのアタッチメントの断面図である。
【図４】図４は図１のヘアードライヤーのアタッチメントの斜視図である。
【図５】図５は図１のヘアードライヤーのアタッチメントの上面図である。
【図６】図６は図１のヘアードライヤーのアタッチメントの背面図である。
【発明を実施するための形態】
【００３０】
以下、図面１から図面６を参照して、本発明の実施形態に係るヘアードライヤーのアタッチメントを説明する。但し、以下に示す実施形態は、本発明の技術的思想を具体化するためのヘアードライヤーのアタッチメントを例示するものであって、本発明をこのヘアードライヤーのアタッチメントに特定することを意図するものではなく、特許請求の範囲に含まれるその他の実施形態のものなどにも等しく適用し得るものである。
【００３１】
図１は本発明の実施形態に係るヘアードライヤーのアタッチメントの正面図、図２は図１のヘアードライヤーのアタッチメントの側面図である。図３は、図２のヘアードライヤーのアタッチメント１をＡ−Ａ線で切断した断面図である。図４は、図１のヘアードライヤーのアタッチメントの斜視図である。図５は図１のヘアードライヤーのアタッチメントの上面図である。図６は図１のヘアードライヤーのアタッチメントの背面図である。
【００３２】
本発明の実施形態に係るヘアードライヤーのアタッチメントは、ブラシ付タイプである。このヘアードライヤーのアタッチメント（ブラシ本体）１は、ヘアードライヤー本体（図示せず）に、はめ込み結合する構成となっている。
【００３３】
このヘアードライヤー本体はブラシ本体１から最も離れたところから順にファン、モータ、ヒータ、吹出口が配置されるのであるが、図示は省略してある。モータがファンを回転させると、ヘアードライヤーの本体側から吸い込んだ空気を吹出口を通して、アタッチメント側へ流れる構造となっている。この際には、ヘアードライヤーの本体側から吸い込まれた空気は、ヒータによって所定温度に加熱される。これによって、ヘアードライヤーの本体側から吸い込んだ空気は温風となって吹き出される。また、ヒータと吹出口の間の位置にはマイナスイオン発生素子が配置され、必要に応じ空気にマイナスイオンを混入させられるようになっている。
【００３４】
図１に基づいて説明する。図１はブラシ本体１の正面図である。吹出口にはブラシ本体１が被せられる。ブラシ本体１は円筒形をなし、円周のほぼ半周分が開口部となっており、筒状のホルダーからなる。この開口部にブラシ部２が取り付けられている。ブラシ部２は合成樹脂成型部品であって、筒状ホルダーの一部の領域に設けられ、多数のブリスル３が放射状に形成され、ブリスル３の根元の間に多数の吹出孔４、ブリスル３の先端は引掛けピン８を形成する。
【００３５】
吹出孔４からは、吹出口からマイナスイオンが混入された風が流れ出し、凹所６に設けられる貫通孔７からもマイナスイオンが吹き出す構造となる。この凹所６には、それぞれ貫通孔７が形成される。
【００３６】
ブリスル３の外側には、前記ブリスルよりも突き出した長さが短い寸法の軟質材料より形成される係止ブリスル５、さらにその係止ブリスル５の外側に凹所６が形成される。凹所６は、前記ブラシ部２を挟んだ筒状ホルダーの長手方向の左右両側壁に形成されており、筒状ホルダーの外側面から凹設される。
【００３７】
次に図２は、ブラシ本体１の側面図である。ブラシ部２は、筒状ホルダーの長手方向と直交する方向に複数の空隙を形成する。また同時に、複数の凹所６が前記空隙と一致させて形成される。
【００３８】
それぞれの凹所６に設けられた貫通孔７を吹き貫ける風によって、ブリスル３及び係止ブリスル５に巻かれた髪を凹所６に導き髪を解きやすくする。この際、貫通孔７から吹き貫ける風を当てた場合は、凹所６に導かれた髪は、貫通孔７から吹き出す風が当たらない場合と比べて、髪の先端までより素早く乾かす。
【００３９】
また、貫通孔７からマイナスイオンが混入された風を当てた場合は、髪に適度な潤いを与える。
【００４０】
さらに、凹所６の底壁は、曲面または、それに近い円滑した壁面となっており、髪が底壁に当たったとしても、髪を傷めにくい構造となっている。
【００４１】
図３に基づいて説明する。図３は、図２のブラシ本体１をＡ−Ａ線で切断した断面図である。
【００４２】
貫通孔７は、凹所６に設けられており、前記筒状ホルダーの内外を連通している。前記筒状ホルダーの断面形状は、上半分は円周をなし、下半分は対角を有する多角形となる。
【００４３】
凹所６は、その多角形の対峙する一つの対角に位置しており、筒状ホルダーの長手方向に沿って左右両側壁に形成される。凹所６が左右両側壁に形成されることで、ブリスル３及び係止ブリスル５で梳いた髪を広い範囲で捕らえることが可能となり、髪はスムーズに凹所６に導かれる。
【００４４】
次に図４に基づいて説明する。図４は、図１のブラシ本体１の斜視図である。ブラシ部２は、筒状ホルダーの長手方向に沿い、複数条の列をなすブリスル３を形成する。ブリスル３は、放射状に形成され、先端部が丸みを持った引掛けピン８を有する。引掛けピン８は、樹脂となっているため、頭皮を傷つけることなく、髪を広い範囲でキャッチする。
【００４５】
続いて、係止ブリスル５により、ブリスル３によってキャッチされた髪に適度な張りを与えて保持する。さらに、適度な張りを維持した状態の髪は、凹所６にスムーズに導かれ、同時に吹出口から吹き出す風を当てる。この凹所６まで導かれた髪は素早く乾かされる。
【００４６】
さらに、マイナスイオンが混入された風が貫通孔７より吹き出す場合は、髪の先端までしっとりとした潤いを与える。
【００４７】
図５に基づいて説明する。図５は図４のブラシ本体１を矢印方向から見た矢視図である。ブラシ本体１は、底部に近づくにつれて階段状の段差を形成する。この段差が形成されることで底部に近づくにつれ傾斜が増し、髪をどの角度から梳かした場合でも、広い範囲で髪を捕まえやすく、凹所６へ自然な状態で髪を導く。
【００４８】
また、係止ブリスル５は、ブラシ部２の最も外側に位置するブリスル３に近接して、そのブリスル３の突き出した長さよりも低い寸法で設けられる。この係止ブリスル５は、ブリスル３と比べて軟質材料で形成されているため、髪を傷つけることない。
【００４９】
さらに、係止ブリスル５は、ブリスル３で梳かされた髪に適度な張りを与え、ある程度のテンションで髪を保持する。
【００５０】
図６に基づいて説明する。図６は図１のヘアードライヤーのブラシ本体１の背面図である。ブラシ本体１の背面は、多角形を構成し、ブリスル３は、その先端に引掛けピン８を一体形成しているため、係止ブリスル５はストレートの形状をなす。
【００５１】
凹所６は、ブラシ本体１の背面まで凹みを形成しており、ブリスル３で梳かされた髪は、係止ブリスル５で適度な張りを保った状態で、凹所６の底壁まで髪をスムーズに導く。
【００５２】
以上、本発明の実施形態につき説明したが、本発明の範囲はこれに限定されるものでは
なく、発明の主旨を逸脱しない範囲で種々の変更を加えて実施することができる。
【産業上の利用可能性】
【００５３】
本発明は、手持ち式のヘアードライヤーに広く利用可能である。
【符号の説明】
【００５４】
１              ブラシ本体
２              ブラシ部
３              ブリスル
４              吹出孔
５              係止ブリスル
６              凹所
７              貫通孔
８              引掛けピン
【図１】
2010201067.tif 000003
【図２】
2010201067.tif 000004
【図３】
2010201067.tif 000005
【図４】
2010201067.tif 000006
【図５】
2010201067.tif 000007
【図６】
2010201067.tif 000008